(57)【要約】【課題】パネル部材に対して容易に組み付け可能であるとともに止水性能を向上させることができるグロメット、及び、該グロメットを備えたグロメット取付構造を提供する。【解決手段】グロメット１がパネル部材１００に取り付けられた際に、環状リップ部３２の先端がインナフランジ部２０１の外周縁よりも径方向内側に位置することで、パネル部材１００に取り付けられたグロメット１に対して散水した場合に、環状リップ部３２の先端に対して水が直接かかりにくい。水圧によって環状リップ部３２が変形することが抑制され、パネル部材１００との間に隙間が生じにくく、止水性能を向上させることができる。環状リップ部３２をパネル部材１００に対して強く押し付ける必要がなく、グロメット１をパネル部材１００に対して容易に組み付けることができる。【選択図】図３
2019088155.tif 000002
【特許請求の範囲】
【請求項１】
電線を覆うように筒状に形成されるとともにパネル部材の取付孔に取り付けられるグロメットであって、
前記パネル部材に対向するフランジ部、及び、前記取付孔の周囲の平面部に弾性接触する環状リップ部を有するグロメット本体と、
前記グロメット本体に取り付けられるとともに当該グロメット本体よりも硬質な部材によって構成されたインナ部材と、を備え、
前記インナ部材は、前記フランジ部に収容されるインナフランジ部を有し、
前記環状リップ部は、前記フランジ部の内周部から前記パネル部材に向かって外側に広がるように傾斜して延び、
前記パネル部材に取り付けられた際に、前記環状リップ部の先端が前記インナフランジ部の外周縁よりも径方向内側に位置することを特徴とするグロメット。
【請求項２】
前記パネル部材に取り付けられた際に、前記環状リップ部の先端と前記フランジ部とが接触しないように構成されていることを特徴とする請求項１に記載のグロメット。
【請求項３】
電線を覆うように筒状に形成されたグロメットが、パネル部材の取付孔に取り付けられるグロメット取付構造であって、
前記グロメットは、前記パネル部材に対向するフランジ部、及び、前記取付孔の周囲の平面部に弾性接触する環状リップ部を有するグロメット本体と、前記グロメット本体に取り付けられるとともに当該グロメット本体よりも硬質な部材によって構成されたインナ部材と、を備え、
前記インナ部材は、前記フランジ部に収容されるインナフランジ部を有し、
前記環状リップ部は、前記フランジ部の内周部から前記パネル部材に向かって外側に広がるように傾斜して延び、
前記グロメットが前記パネル部材に取り付けられた際に、前記環状リップ部の先端が前記インナフランジ部の外周縁よりも径方向内側に位置することを特徴とするグロメット取付構造。
【発明の詳細な説明】
【技術分野】
【０００１】
本発明は、パネル部材の取付孔に取り付けられるグロメットおよびグロメット取付構造に関するものである。
【背景技術】
【０００２】
車両における扉体等に電力を供給するために電線を設ける際、この電線を水から保護するためにグロメットが設けられることがある。例えば、ハッチバック式の車両では、電線を覆うグロメットが、バックドアのヒンジ部近傍において、一端が車体側のパネルに取り付けられ、他端がドア側のパネルに取り付けられる。
【０００３】
このようなグロメットとして、パネルに対向するフランジ部と、取付孔の開口縁部（平面部）に接触する環状リップ部と、を互いに当接させるものが提案されている（例えば、特許文献１参照）。特許文献１に記載されたグロメットでは、フランジ部と環状リップ部とが当接し、環状リップ部がフランジ部とパネルとによって挟み込まれる。これにより、環状リップ部が開口縁部に対して強く押圧されるようになっている。
【先行技術文献】
【特許文献】
【０００４】
【特許文献１】特開２０１４−３３５６４号公報
【発明の概要】
【発明が解決しようとする課題】
【０００５】
しかしながら、特許文献１に記載されたようなグロメットでは、環状リップ部をパネルに対して強く押し付けることができる反面、グロメットをパネルに取り付けるために必要な力が大きくなってしまう。一方、フランジ部と環状リップ部とを押し付ける力を小さくすれば、取り付けに必要な力も小さくできるものの、環状リップ部をパネルに押し付ける力も小さくなってしまい、止水性能が低下してしまう。
【０００６】
本発明の目的は、パネル部材に対して容易に組み付け可能であるとともに止水性能を向上させることができるグロメット、及び、該グロメットを備えたグロメット取付構造を提供することにある。
【課題を解決するための手段】
【０００７】
本願発明のグロメットは、電線を覆うように筒状に形成されるとともにパネル部材の取付孔に取り付けられるグロメットであって、前記パネル部材に対向するフランジ部、及び、前記取付孔の周囲の平面部に弾性接触する環状リップ部を有するグロメット本体と、前記グロメット本体に取り付けられるとともに当該グロメット本体よりも硬質な部材によって構成されたインナ部材と、を備え、前記インナ部材は、前記フランジ部に収容されるインナフランジ部を有し、前記環状リップ部は、前記フランジ部の内周部から前記パネル部材に向かって外側に広がるように傾斜して延び、前記パネル部材に取り付けられた際に、前記環状リップ部の先端が前記インナフランジ部の外周縁よりも径方向内側に位置することを特徴とする。
【０００８】
本願発明のグロメット取付構造は、電線を覆うように筒状に形成されたグロメットが、パネル部材の取付孔に取り付けられるグロメット取付構造であって、前記グロメットは、前記パネル部材に対向するフランジ部、及び、前記取付孔の周囲の平面部に弾性接触する環状リップ部を有するグロメット本体と、前記グロメット本体に取り付けられるとともに当該グロメット本体よりも硬質な部材によって構成されたインナ部材と、を備え、前記インナ部材は、前記フランジ部に収容されるインナフランジ部を有し、前記環状リップ部は、前記フランジ部の内周部から前記パネル部材に向かって外側に広がるように傾斜して延び、前記グロメットが前記パネル部材に取り付けられた際に、前記環状リップ部の先端が前記インナフランジ部の外周縁よりも径方向内側に位置することを特徴とする。
【発明の効果】
【０００９】
このような本願発明のグロメットによれば、パネル部材に取り付けられた際に、環状リップ部の先端がインナフランジ部の外周縁よりも径方向内側に位置することで、パネル部材に取り付けられたグロメットに対して散水した場合に、環状リップ部の先端に対して水が直接かかりにくい。従って、水圧によって環状リップ部が変形することが抑制され、パネル部材との間に隙間が生じにくく、止水性能を向上させることができる。このとき、環状リップ部をパネル部材に対して強く押し付ける必要がなく、パネル部材に対して容易に組み付けることができる。
【００１０】
また、本願発明のグロメット取付構造によれば、グロメットが上記のような構成を有していることから、グロメットをパネル部材に対して容易に組み付けることができ、且つ、止水性能を向上させることができる
【図面の簡単な説明】
【００１１】
【図１】本発明の実施形態に係るグロメットを示す斜視図である。
【図２】前記グロメットの要部を示す断面図である。
【図３】前記グロメットをパネル部材に取り付けた様子を示す断面図である。
【発明を実施するための形態】
【００１２】
以下、本発明の実施形態を図面に基づいて説明する。図１は、本発明の実施形態に係るグロメット１を示す斜視図であり、図２は、グロメット１の要部を示す断面図であり、図３は、グロメット１をパネル部材１００に取り付けた様子を示す断面図である。
【００１３】
本実施形態のグロメット１は、電線を覆うように筒状に形成されるとともにパネル部材の取付孔に対して取り付けられるものであって、例えばハッチバック式のバックドアを有する車両において、バックドアのヒンジ部近傍に設けられる。グロメット１は、図１に示すように、グロメット本体１０と、インナ部材２００と、を備える。グロメット本体１０は、電線が挿通されるコルゲートチューブ部２と、パネル部材に取り付けられる取付部３と、を備え、例えば軟質な樹脂によって一体に形成されている。尚、取付部３は、コルゲートチューブ部２の両端に設けられ、それぞれ例えば車体側のパネル部材とドア側のパネル部材とに取り付けられるが、本実施形態では、両方の取付部３が同様の構成を有するものとする。
【００１４】
コルゲートチューブ部２は、蛇腹状に形成されることで屈曲および伸縮可能となっている。即ち、コルゲートチューブ部２は、バックドアの開閉に応じて適宜に変形するようになっている。
【００１５】
取付部３は、パネル部材側が開口した筒状に形成されるとともに、パネル部材から見てオーバル状となっている。取付部３のうち開口側には、図２、３に示すように、パネル部材１００に対向するフランジ部３１と、フランジ部３１の内周部３１１からパネル部材１００に向かって延びる環状リップ部３２と、が形成されている。
【００１６】
フランジ部３１は、取付部３における他の部分よりも拡径された部分であり、パネル部材１００に沿った鍔状に形成されている。フランジ部３１の内径側には、凹状のインナ部材収容部３１２が形成されている。インナ部材収容部３１２には、インナ部材２００の後述するインナフランジ部２０１が収容されるようになっている。
【００１７】
インナ部材２００は、グロメット１の取付部３の径方向内側に配置されるとともに電線が挿通される部材であって、グロメット１よりも硬質な樹脂によって構成されている。インナ部材２００は、グロメット１からパネル部材１００に向かう方向に沿って、インナフランジ部２０１と、筒部２０２と、係止部２０３と、をこの順に有している。
【００１８】
インナフランジ部２０１は、取付孔１０１よりも大径に形成され、パネル部材１００と対向する。また、インナフランジ部２０１がインナ部材収容部３１２に収容されることにより、インナ部材２００が取付部３に取り付けられるようになっている。筒部２０２は、取付孔１０１に挿通可能なように、取付孔１０１よりも小径に形成されている。係止部２０３は、先端側が小径となるような傾斜を有するとともに、その最外径が取付孔１０１の内径よりも大きい。即ち、係止部２０３を取付孔１０１に挿通することにより、係止部２０３がパネル部材１００の内面（グロメット本体１０側と反対側の面）に係止されるようになっている。
【００１９】
このように、グロメット１は、インナ部材２００を備えることにより、パネル部材１００に取り付けられるように構成されている。また、グロメット本体１０の一部、及び、パネル部材１００における取付孔１０１の周辺部が、インナフランジ部２０１と係止部２０３とによって挟み込まれる。
【００２０】
環状リップ部３２は、パネル部材１００のうち取付孔１０１の周囲の平面部１０２に弾性接触することにより止水性を確保するものである。環状リップ部３２は、フランジ部３１の内周部から前記パネル部材に向かって外側に広がるように傾斜して延び、その先端においてパネル部材１００の平面部１０２に接触する。環状リップ部３２はフランジ部３１の内周部から直接延びており、フランジ部３１と環状リップ部３２との間に鋭角が形成されている。環状リップ部３２の延在方向寸法Ｌ１は、インナフランジ部２０１の片側の突出寸法Ｌ２よりも小さい。従って、環状リップ部３２がフランジ部３１に近づくように最大限変形した場合であっても、環状リップ３２の先端がインナフランジ部２０１の外周縁よりも径方向内側に位置するようになっている。
【００２１】
ここで、グロメット１をパネル部材１００に取り付けた際の環状リップ部３２の変形について図３に基づいて説明する。パネル部材１００の板厚は、変形前の環状リップ部３２と係止部２０３との間隔よりも大きいものとする。このようなパネル部材１００にグロメット１を取り付けたものをグロメット取付構造３００とする。グロメット取付構造３００において、環状リップ部３２は、取付前の状態と比較して、その先端がフランジ部３１に近づくように変形する。このとき、環状リップ３２の先端がインナフランジ部２０１の外周縁よりも径方向内側に位置している。
【００２２】
フランジ部３１のパネル部材１００側の面は平坦に形成されており（即ち突起部等を有しておらず）、且つ、環状リップ部３２のフランジ部３１側は平坦に形成されている（即ち突起部等を有していない）。これにより、フランジ部３１と、変形した環状リップ部３２と、が接触しないようになっている。
【００２３】
このような本実施形態によれば、以下のような効果がある。即ち、グロメット１がパネル部材１００に取り付けられた際に、環状リップ部３２の先端がインナフランジ部２０１の外周縁よりも径方向内側に位置することで、パネル部材１００に取り付けられたグロメット１に対して散水した場合に、環状リップ部３２の先端に対して水が直接かかりにくい。従って、水圧によって環状リップ部３２が変形することが抑制され、パネル部材１００との間に隙間が生じにくく、止水性能を向上させることができる。このとき、環状リップ部３２をパネル部材１００に対して強く押し付ける必要がなく、グロメット１をパネル部材１００に対して容易に組み付けることができる。
【００２４】
また、グロメット１がパネル部材１００に取り付けられた際に、環状リップ部３２の先端とフランジ部３１とが接触しないように構成されていることで、環状リップ部３２は、さらにフランジ部３１に近づくように変形することができ、板厚の異なるパネル部材に対してグロメット１を取り付けることができる。
【００２５】
なお、本発明は、前記実施形態に限定されるものではなく、本発明の目的が達成できる他の構成等を含み、以下に示すような変形等も本発明に含まれる。
【００２６】
例えば、前記実施形態では、グロメット１がパネル部材１００に取り付けられた際に、環状リップ部３２の先端とフランジ部３１とが接触しないものとしたが、これらが接触する構成としてもよい。即ち、フランジ部のパネル部材側の面や、環状リップ部のフランジ部側に突起部を設けたり、フランジ部と係止部との間隔および環状リップ部の厚さを調節したりすることにより、所定の板厚のパネル部材にグロメットを取り付けた際に、環状リップ部の先端とフランジ部とが接触するような構成としてもよい。このような構成によれば、環状リップ部をパネル部材に押し付ける力を大きくして止水性能を向上させることができる。
【００２７】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００２８】
１          グロメット
１０        グロメット本体
３１        フランジ部
３２        環状リップ部
１００      パネル部材
１０１      取付孔
１０２      平面部
２００      インナ部材
２０１      インナフランジ部
３００      グロメット取付構造
【図１】
2019088155.tif 000003
【図２】
2019088155.tif 000004
【図３】
2019088155.tif 000005